(57)【要約】【課題】患者がコンターシートに腰を掛ける動作を行うだけで、その後、自動的に歯科用治療椅子を診療ポジションへ移行することができ、患者が乗降時に腰を回転させたり足を上げたりする動作の必要がなく、高齢者や身体不自由者が容易に乗降することのできる歯科用治療椅子を提供する。【解決手段】歯科用治療椅子１００のレッグレスト１８はコンターシート１５に対して起倒可能に設けられるとともに、コンターシート１５とレッグレスト１８とはバックレスト１６に対して回動可能に設けられている。また、歯科用治療椅子１００は、レッグレスト１８をコンターシート１５に対して起倒する駆動機構４０と、コンターシート１５とレッグレスト１８とをバックレスト１６に対して回動する駆動機構３０を備えている。【選択図】図１
2015205024.tif 000002
【特許請求の範囲】
【請求項１】
バックレスト、コンターシート、および、レッグレストを備えた歯科用治療椅子であって、前記レッグレストは前記コンターシートに対して起倒可能に設けられるとともに、前記コンターシートと前記レッグレストとは前記バックレストに対して回動可能に設けられ、前記レッグレストを前記コンターシートに対して起倒する駆動機構と、前記コンターシートと前記レッグレストとを前記バックレストに対して回動する駆動機構を有することを特徴とする歯科用治療椅子。
【請求項２】
前記レッグレストは、前記バックレスト、前記コンターシート、および、前記レッグレストが直線状に配列されたときのみ、倒状態への操作が可能であることを特徴とする請求項１に記載の歯科用治療椅子。
【請求項３】
前記コンターシートが肘掛けを有し、該肘掛けが前記バックレストに対して該コンターシートと共に回動可能であることを特徴とする請求項１または２に記載の歯科用治療椅子。
【発明の詳細な説明】
【技術分野】
【０００１】
本発明は、歯科用治療椅子、より詳細には、高齢者や身体不自由者が容易に乗降することのできる歯科用治療椅子に関する。
【背景技術】
【０００２】
従来から歯科用治療椅子として、例えば、図７に示す歯科用治療椅子が一般的に用いられている。図７（Ａ）に示す歯科用治療椅子１００は、ヘッドレスト（安頭台）１０１、バックレスト１０２、コンターシート１０３、レッグレスト１０４、および、フットステップ１０５を備えており、患者は、歯科用治療椅子１００に腰掛ける際は、フットステップ１０５の上に乗って、その後、コンターシート１０３に腰掛けるようにしている。このため、高齢者や身体不自由者は、狭いフットステップ１０５の上に乗ってから腰掛けなければならず、歯科用治療椅子１００への乗降に負担がかかっていた。
【０００３】
また、図７（Ｂ）に示す歯科用治療椅子１００’は、図７（Ａ）に示す歯科用治療椅子１００のレッグレスト１０４およびフットステップ１０５がコンターシート１０３と一体的に形成されたもので、ヘッドレスト１０１、バックレスト１０２、および、一体型コンターシート１０６を備えている。患者が歯科用治療椅子１００’に腰掛ける際は、前方からは腰掛けることができず、必然的に、横方向から一体型コンターシート１０６に臀部を乗せ、その後、両足を一体型コンターシート１０６の延長部に乗せる必要があった。このため、高齢者や身体不自由者にとっては腰を回転させる動作や足を上げる動作が辛いという問題があった。
【０００４】
このため、例えば、特許文献１には、歯科治療ユニットにおける給排水ボックスに手摺部材を伸縮自在にかつ前後に移動可能に設け、手摺部材によって歯科治療乗降時の患者の動作を案内するようにしたり、また、特許文献２には、コンターシートの中央に形成した患者の臀部を載せる窪みの形状を工夫したりすることが開示されている。
【先行技術文献】
【特許文献】
【０００５】
【特許文献１】特開２００４−８１７１３号号公報
【特許文献２】特開２００７−２４４７５１号公報
【発明の概要】
【発明が解決しようとする課題】
【０００６】
しかしながら、特許文献１あるいは特許文献２に開示された歯科用治療椅子は、患者に対して、基本的に従来と同じ乗降姿勢を取らせるものであり、患者はて、狭いフットステップの上で姿勢を変更したり、コンターシートの上で腰を回転させたり、足を上げたりする動作を行う必要があった。
【０００７】
本発明は、これらの実情に鑑みてなされたものであり、患者がコンターシートに腰を掛ける動作を行うだけで、その後、自動的に歯科用治療椅子を診療ポジションへ移行することができ、乗降時に腰を回転させたり足を上げたりする動作の必要がなく、高齢者や身体不自由者が容易に乗降することのできる歯科用治療椅子を提供することをその目的とする。
【課題を解決するための手段】
【０００８】
上記課題を解決するために、請求項１の発明は、バックレスト、コンターシート、および、レッグレストを備えた歯科用治療椅子であって、前記レッグレストは前記コンターシートに対して起倒可能に設けられるとともに、前記コンターシートと前記レッグレストとは前記バックレストに対して回動可能に設けられ、前記レッグレストを前記コンターシートに対して起倒する駆動機構と、前記コンターシートと前記レッグレストとを前記バックレストに対して回動する駆動機構を有することを特徴とするものである。
【０００９】
請求項２の発明は、請求項１の発明において、前記レッグレストは、前記バックレスト、前記コンターシート、および、前記レッグレストが直線状に配列されたときのみ、倒状態への操作が可能であることを特徴とするものである。
【００１０】
請求項３の発明は、請求項１または２の発明において、前記コンターシートが肘掛けを有し、該肘掛けが前記バックレストに対して該コンターシートと共に回動可能であることを特徴とするものである。
【発明の効果】
【００１１】
本発明によれば、患者は歯科用治療椅子に対して横方向からコンターシートに腰掛ける動作を行うだけで、その後、自動的にコンターシートおよびレッグレストを回転させるとともにレッグレストを倒状態にすることで、歯科用治療椅子を診療ポジションとすることができるため、患者は乗降時に腰を回転させたり足を上げたりする動作の必要がなく、高齢者や身体不自由者が容易に乗降することができる。
【図面の簡単な説明】
【００１２】
【図１】本発明に係る歯科用治療椅子の一例として着座ポジションの状態を示す図である。
【図２】本発明に係る歯科用治療椅子のコンターシートの駆動機構を説明するための図である。
【図３】本発明に係る歯科用治療椅子の乗降ポジションの状態を示す図である。
【図４】本発明に係る歯科用治療椅子の診療ポジションの状態を示す図である。
【図５】本発明に係る歯科用治療椅子の駆動機構の他の一例を示す図である。
【図６】本発明に係る歯科用治療椅子のレッグレストの駆動機構の他の一例を示す図である。
【図７】従来の歯科用治療椅子を説明するための図である。
【発明を実施するための形態】
【００１３】
以下、図面を参照しながら、本発明の歯科用治療椅子に係る好適な実施の形態について説明する。以下の説明において、異なる図面においても同じ符号を付した構成は同様のものであるとして、その説明を省略する場合がある。
図１は本発明に係る歯科用治療椅子の一例として着座ポジションの状態を示す図であり、図１（Ａ）は歯科用治療椅子を横方向から、図１（Ｂ）は歯科用治療椅子を上方から見た図である。また、図２はコンターシートの駆動機構を説明するための図であり、図３は乗降ポジションの状態を示す図である。さらに、図４は診療ポジションの状態を示す図である。
【００１４】
歯科用治療椅子１０は、基台１１、昇降機構１２、ベースフレーム１３、回転機構１４、コンターシートフレーム１５ａ、バックレストフレーム１６ａ、ヘッドレストフレーム１７ａ、および、レッグレストフレーム１８ａを備えており、コンターシートフレーム１５ａ、バックレストフレーム１６ａ、ヘッドレストフレーム１７ａ、および、レッグレストフレーム１８ａには、それぞれコンターシートクッション１５ｂ、バックレストクッション１６ｂ、ヘッドレストクッション１７ｂ、および、レッグレストクッション１８ｂが設けられている。
【００１５】
コンターシートフレーム１５ａとコンターシートクッション１５ｂがコンターシート１５を、バックレストフレーム１６ａとバックレストクッション１６ｂとがバックレスト１６を、ヘッドレストフレーム１７ａとヘッドレストクッション１７ｂとがヘッドレスト１７を、また、レッグレストフレーム１８ａとレッグレストクッション１８ｂとがレッグレスト１８をそれぞれ構成している。図１で、例えば、バックレストフレーム１６ａの上にバックレストクッション１６ｂが設けられているが、バックレストクッション１６ｂがバックレストフレーム１６ａを包み込むようにしてもよい。他のクッションについても同様である。
【００１６】
昇降機構１２は基台１１とベースフレーム１３とを連結し、ベースフレーム１３を基台１１に対して垂直（上下）方向に移動可能に支持している。バックレストフレーム１６ａは軸部材１９を中心にベースフレーム１３に対して起倒（回転）可能に取り付けられており、図示しない駆動機構によって起倒させることができる。また、後述するように、レッグレストフレーム１８ａはコンターシートフレーム１５ａに対して起倒（回転）可能に取り付けられており、駆動機構４０によって起倒させることができる。
【００１７】
コンターシートフレーム１５ａは、ベースフレーム１３に対して回転機構１４によって回動可能に設けられており、駆動機構３０によってベースフレーム１３に対して約９０°回転させることができる。これにより、コンターシート１５とレッグレスト１８とはベースフレーム１３に取り付けられたバックレスト１６に対して約９０°回転させられる。駆動機構３０は、本実施形態では、電磁ソレノイドやエアーシリンダなどの直線運動可能な駆動機構が用いられ、図２に示すように、駆動機構３０の一方がベースフレーム１３に対して軸部材３２によって軸支され、他方がコンターシートフレーム１５に対して軸部材３３によって軸支される。
【００１８】
そして、駆動機構３０のロッド（直進部材）３１を伸長させた状態では、図１（Ｂ）、図２に示すように、バックレスト１６、コンターシート１５およびレッグレスト１８が直線状に配列される。また、駆動機構３０のロッド３１を収縮させた状態では、図３で示すように、コンターシート１５およびレッグレスト１８がバックレスト１６に対して約９０°回転した状態に配列される。そして、歯科用治療椅子１０への乗降時には、駆動機構３０のロッドを収縮させた状態にすることで、患者は歯科用治療椅子１０の横方向からコンターシート１５に対して腰掛けるが、患者はコンターシート１５に対しては正面側から乗降可能になっている。
【００１９】
レッグレストフレーム１８ａはコンターシートフレーム１５ａに対して軸部材２０によって起倒（回転）可能に取り付けられているが、コンターシート１５が回転させられた際に駆動機構４０に接触しないよう、コンターシートフレーム１５ａに対して所定の角度以上に起状態（立った状態）にならないように規制されている。駆動機構４０は、駆動機構３０と同様に、一例として電磁ソレノイドやエアーシリンダなどの直線運動可能な駆動機構が用いられる。駆動機構４０は、本体がベースフレーム１３に取り付けられ、進退可能なロッド４１の先端にローラ４２が軸部材４３によって軸支されている。
【００２０】
そして、バックレスト１６、コンターシート１５およびレッグレスト１８が直線状に配列された状態のときのみ、駆動機構４０を操作してロッド４１を伸長させることができるようにしている。このため、図３に示す乗降ポジションの状態から、図１に示す着座ポジションまでコンターシート１５が回転した際に、レッグレスト１８が駆動機構４０に接触することがない。そして、図４に示すように、駆動機構４０を操作してロッド４１を伸長させることで、ローラ４２がレッグレストフレーム１８ａのガイド面を押すことにより、レッグレスト１８を起状態から倒状態に移行させている。また、レッグレスト１８を倒状態にさせた際に、連動してバックレスト１６が倒状態になるように駆動することにより、歯科用治療椅子１００を、図４に示す診療ポジションに移行することを可能にしている。
【００２１】
次に、歯科用治療椅子１００の操作について説明する。まず、患者が歯科用治療椅子に座る際は、図３で示すように、術者あるいは補助者は、歯科用治療椅子１００の駆動機構３０を操作することによってロッド３１を収縮させ、歯科用治療椅子１００がコンターシート１５およびレッグレスト１８がバックレスト１６に対して約９０°回転させた乗降ポジションになるようにする。患者は、歯科用治療椅子１００が図３で示す乗降ポジションとなった時に、コンターシート１５の上に腰掛けるが、その際、患者の乗降動作を助けるために、コンターシート１５に肘掛けを一体に設けておくことが望ましい。なお、この肘掛はコンターシート１５とともに回転することになる。
【００２２】
次に、患者がコンターシート１５に腰を掛けた状態で、駆動機構３０を操作してロッド３１を伸長させることにより、図１で示すように、歯科用治療椅子１００がバックレスト１６、コンターシート１５およびレッグレスト１８が直線状に配列された着座ポジションとなるようにする。さらに、バックレスト１６を倒状態にするとともに、同時に駆動機構４０を操作することにより、レッグレスト１８を倒状態にすることで、歯科用治療椅子１００を図４で示す診療ポジションとなるようにする。このように、患者は歯科用治療椅子１００に対して横方向からコンターシート１５に腰掛ける動作を行うだけで、その後、自動的に歯科用治療椅子１００を診療ポジションとすることができる。
【００２３】
患者が歯科用治療椅子から降りる際は、乗降時とは反対に、歯科用治療椅子１００を、図４に示す診療ポジションから図１に示す着座ポジションを経て図３に示す乗降ポジションに移行させる。これにより、患者は、歯科用治療椅子１００から降りる際も、腰を回転させたり足を上げたりする動作を行う必要がなくなる。
【００２４】
次に、駆動機構の変形例について説明する。図５は本発明に係る歯科用治療椅子の駆動機構の他の一例を示す図であり、図６は、レッグレストの駆動機構の他の一例を示す図である。
図５に示す歯科用治療椅子１０’では、コンターシートを回動させるための駆動機構１３０として、ベースフレーム側に設けた図示しないモータによって回転する回転軸１３１にウォーム歯車１３２を設け、このウォーム歯車とコンターシート１５に取り付けた歯車１３３とを噛合させている。これにより、モータを回転させることによって、コンターシート１５とレッグレスト１８をバックレスト１６に対して回動可能としている。
【００２５】
また、レッグレスト１８を起倒させるための駆動機構として、図６に示す駆動機構では、ローラ４２を軸部材４３によって回転可能に軸支したロッド１４１に直線状の歯車１４２を形成し、この歯車１４２と図示しないモータによって回転される歯車１４３を噛合させている。これにより、モータを回転させることによって、レッグレスト１８をコンターシート１５に対して起倒可能としている。
【００２６】
以上、本発明の実施形態について説明したが、歯科用治療椅子のバックレストに対してコンターシートを回動可能な状態に構成することなく、バックレスト、コンターシートおよびレッグレストを直線状に配置したものを基台に対して回転可能に設けた場合は、コンターシートの回転とともにバックレストも回転することから、歯科治療ユニットの他の構成部材である例えばスピットンにバックレストがぶつからないように十分なスペースをとる必要がある。また、コンターシートを回転させないでレッグレスト側から歯科用治療椅子に乗降させる場合は、レッグレスト側にスペースを設ける必要があり、いずれにせよ歯科治療ユニットを配置するために広いスペースが必要となる。
【符号の説明】
【００２７】
１０、１００…歯科用治療椅子、１１…基台、１２…昇降機構、１３…ベースフレーム、１４…回転機構、１５…コンターシート、１５ａ…コンターシートフレーム、１５ｂ…コンターシートクッション、１６…バックレスト、１６ａ…バックレストフレーム、１７…ヘッドレスト（安頭台）、１７ａ…ヘッドレストフレーム、１７ｂ…ヘッドレストクッション、１８…レッグレスト、１８ａ…レッグレストフレーム、１８ｂ…レッグレストクッション、１９、２０…軸部材、３０、１３０…駆動機構、３１…ロッド、３２、３３…軸部材、４０、１４０…駆動機構、４１、１４１…ロッド、４２…ローラ、４３…軸部材、１０１…ヘッドレスト（安頭台）、１０２…バックレスト、１０３…コンターシート、１０４…レッグレスト、１０５…フットステップ、１０６…一体型コンターシート、１３１…回転軸、１３２…ウォーム歯車、１３３…歯車、１４２…直線歯車、１４３…歯車。
【図１】
2015205024.tif 000003
【図２】
2015205024.tif 000004
【図３】
2015205024.tif 000005
【図４】
2015205024.tif 000006
【図５】
2015205024.tif 000007
【図６】
2015205024.tif 000008
【図７】
2015205024.tif 000009